(57)【要約】【課題】カバー部材を兼用するシャーシの溝状開口部内にユーザーが手指等を挿入しづらくすること。【解決手段】光学ピックアップ６の対物レンズ７のフォーカシング駆動時における該対物レンズ７のシャーシ２の上方への移動量を規制するストッパー壁部１４をこのシャーシ２の溝状開口部１５の両側部１５ａで兼用させて、従来の２軸アクチュエータカバーを不要にして、この溝状開口部１５の溝幅Ｗ１２を対物レンズ７の直径φより僅かに大きい寸法まで縮小する。【選択図】図１
2005276379.tif 000002
【特許請求の範囲】
【請求項１】
ディスク状記録媒体の半径方向に移送されるスレッドに光学ピックアップが搭載され、
該光学ピックアップの２軸アクチュエータによってフォーカシング駆動及びトラッキング駆動される対物レンズを前記スレッドの移送経路の外側を覆うカバー部材の溝状開口部内に沿って移送する光学ピックアップユニットにおいて、
前記２軸アクチュエータによる前記対物レンズのフォーカシング駆動時における該対物レンズの前記カバー部材外方側への移動量を規制するストッパー壁部を前記カバー部材の前記溝状開口部の両側部で兼用させることにより、該溝状開口部の溝幅を小幅に構成した
ことを特徴とする光学ピックアップユニット。
【請求項２】
前記溝状開口部の溝幅を最小で前記対物レンズの直径＋２ｍｍに構成した
ことを特徴とする請求項１に記載の光学ピックアップユニット。
【請求項３】
前記カバー部材の少なくとも前記溝状開口部が形成されている外側壁の内面が前記スレッドの移送方向と平行な面に形成され、
該外側壁の外面が前記ディスク状記録媒体の内周側から外周側に進むに従って該ディスク状記録媒体から次第に離間されるような傾斜状に形成されている
ことを特徴とする請求項１に記載の光学ピックアップユニット。
【請求項４】
前記カバー部材の前記溝状開口部が形成されている外側壁の外面が前記溝状開口部の両側方に遠ざかるに従って前記ディスク状記録媒体から次第に離間されるような傾斜状に形成されている
ことを特徴とする請求項１に記載の光学ピックアップユニット。
【請求項５】
前記カバー部材が、少なくとも前記スレッドの移送機構が搭載されたシャーシに兼用されている
ことを特徴とする請求項１に記載の光学ピックアップユニット。
【請求項６】
前記カバー部材が、少なくとも前記スレッドの移送機構と、前記ディスク状記録媒体を回転駆動するスピンドルモータが搭載されたシャーシに兼用されている
ことを特徴とする請求項１に記載の光学ピックアップユニット。
【請求項７】
ディスク状記録媒体を回転駆動するスピンドルモータと、
スレッドに搭載されて、前記ディスク状記録媒体の半径方向に移送される光学ピックアップと、
前記スレッドの移送経路の外側を覆うと共に、前記ディスク状記録媒体の半径方向に沿って形成された溝状開口部を有し、前記光学ピックアップの２軸アクチュエータによってフォーカシング駆動及びトラッキング駆動される対物レンズが前記溝状開口部内に沿って移送されるカバー部材とを備えた光学ディスクドライブ装置において、
前記２軸アクチュエータによる前記対物レンズのフォーカシング駆動時における該対物レンズの前記カバー部材外方側への移動量を規制するストッパー壁部を前記カバー部材の前記溝状開口部の両側部で兼用させることにより、該溝状開口部の溝幅を小幅に構成した
ことを特徴とする光学ディスクドライブ装置。
【請求項８】
前記溝状開口部の溝幅を最小で前記対物レンズの直径＋２ｍｍに構成した
ことを特徴とする請求項７に記載の光学ディスクドライブ装置。
【請求項９】
前記カバー部材の少なくとも前記溝状開口部が形成されている外側壁の内面が前記スレッドの移送方向と平行な面に形成され、
該外側壁の外面が前記ディスク状記録媒体の内周側から外周側に進むに従って該ディスク状記録媒体から次第に離間されるような傾斜状に形成されている
ことを特徴とする請求項７に記載の光学ディスクドライブ装置。
【請求項１０】
前記カバー部材の前記溝状開口部が形成されている外側壁の外面が前記溝状開口部の両側方に遠ざかるに従って前記ディスク状記録媒体から次第に離間されるような傾斜状に形成されている
ことを特徴とする請求項７に記載の光学ディスクドライブ装置。
【請求項１１】
前記カバー部材が、少なくとも前記スレッドの移送機構が搭載されたシャーシに兼用されている
ことを特徴とする請求項７に記載の光学ディスクドライブ装置。
【請求項１２】
前記カバー部材が、少なくとも前記スレッドの移送機構と、前記ディスク状記録媒体を回転駆動するスピンドルモータが搭載されたシャーシに兼用されている
ことを特徴とする請求項７に記載の光学ディスクドライブ装置。
【発明の詳細な説明】
【技術分野】
【０００１】
本発明は、ＣＤ、ＤＶＤ等の光ディスクを再生する光ディスクドライブ装置やＭＯ等の光磁気ディスクを記録／再生する光磁気ディスクドライブ装置に適用するのに最適な光学ピックアップユニットと光学ディスクドライブ装置に関するものであって、特に、搭載された光学ピックアップを光ディスクや光磁気ディスク等のディスク状記録媒体の半径方向に移送するスレッドの外側を覆い、光学ピックアップの対物レンズを溝状開口部内に沿って移送するカバー部材に係わるものである。
【背景技術】
【０００２】
従来から、図６及び図８に示すように、ポータブルのＣＤプレーヤーやＤＶＤプレーヤー等のオープンタイプの光学ディスクドライブ装置に使用されている光学ピックアップユニット１のカバー部材を兼用するシャーシ２が高強度の合成樹脂であるエンジニアリングプラスチック等にて底部側を開放させた横長形状のほぼ箱型に成形されている。そして、このシャーシ２の一端側の外部にスピンドルモータ３が垂直状に搭載されて、そのスピンドルモータ３の上端にはターンテーブル３ａが同軸状に設けられている。また、このシャーシ２の内部にはスレッド４及びスレッド移送機構５等が水平状に搭載されていて、スレッド４には光学ピックアップ６が搭載されている。なお、スレッド移送機構５はモータ５ａによって正逆回転駆動されるガイド主軸兼用のリードスクリュー５ｂ及びガイド副軸５ｃ等を備えている。また、光学ピックアップ６は対物レンズ７と２軸アクチュエータ８等を備えていて、対物レンズ７がシャーシ２の上側壁２ａのほぼ中央部に沿って形成された溝状開口部１１内に沿って移送されるように構成されている。
【０００３】
そして、ターンテーブル３ａ上にＣＤやＤＶＤ等のディスク状記録媒体である光ディスクＤを水平状にチャッキングして、スピンドルモータ３によって回転駆動し、光学ピックアップ６の対物レンズ７によってレーザービーム等の光ビームをシャーシ２の溝状開口部１１を通して光ディスクＤに下方から収束させた状態で、スレッド４をスレッド移送機構５によって光ディスクＤの半径方向である移送方向ａへ移送することによって、光学ピックアップ６の対物レンズ７（＝光ビーム）を光ディスクＤの半径方向へシークしつつ、２軸アクチュエータ８によって対物レンズ７を光ディスク７に対するフォーカシング方向ｂとトラッキング方向ｃに駆動することにより、光ディスクＤに対する光ビームのフォーカシング駆動及びトラッキング駆動を行って光ディスクＤのデータ（情報）の再生を行うように構成されている（例えば、特許文献１）。
【０００４】
そして、従来の光学ピックアップユニット１では、光学ピックアップ６の対物レンズ７を２軸アクチュエータ８によってフォーカシング方向ｂへフォーカシング駆動する際に、対物レンズ７がシャーシ２の溝状開口部１１から外方側である上方（フォーカシング方向）へ飛び出して光ディスクＤに干渉することを防止する目的で、その対物レンズ７のシャーシ２の外方側である矢印ｂ１方向側への移動量Ｌを規制するためのストッパー壁部を兼用するほぼ箱型の２軸アクチュエータカバー１２をスレッド４上に固着して、対物レンズ７の外周を覆っていた。
【０００５】
即ち、この２軸アクチュエータカバー１２の水平状の天板部１２ａがストッパー壁部に構成されていて、この天板部１２ａはほぼ短形状に形成されている。そして、対物レンズ７の直径φ（＝５．５ｍｍ）より十分に大きい貫通孔２ｂがその天板部１２ａのほぼ中央部に形成されている。そして、対物レンズ７が貫通孔１２ｂ内にフォーカシング方向ｂ及びトラッキング方向ｃへ移動可能な隙間を有する状態に遊嵌されている。そして、図８に１点鎖線で示すように、上方側である矢印ｂ１方向への２軸アクチュエータ８による対物レンズ７のフォーカシング８のフォーカシング駆動時に、対物レンズ７が上端部に搭載されているコイルボビン８ａの上端に設けられた一対の小突起８ｂが２軸アクチュエータカバー１２の天板部１２ａに下方から衝突することによって、対物レンズ７のシャーシ２の上方側（矢印ｂ１方向）への移動量Ｔ１を規制していた。因みに、この移動量Ｔ１は約１．２５ｍｍに構成されている。そして、２軸アクチュエータカバー１２の天板部１２ａがスレッド４と一体にシャーシ２の溝状開口部１１内に沿って移送方向ａへ移送されるように構成されている。
【特許文献１】特開２００２−２３０８８３号公報
【発明の開示】
【発明が解決しようとする課題】
【０００６】
解決しようとする問題点は、ストッパー壁部を兼用するほぼ箱型の２軸アクチュエータカバー１２をスレッド４上に固着して、その２軸アクチュエータカバー１２のストッパー壁部を構成する天板部１２ａの貫通孔１２ｂ内に対物レンズ７を遊嵌させる構造を採用すると、対物レンズ７の直径φ（５．５ｍｍ）より相当に大きい２軸アクチュエータカバー１２の天板部１２ａの横幅Ｗ１（約１３．５ｍｍ）によってシャーシ２の溝状開口部１１の溝幅Ｗ２が拘束されているために、この溝状開口部１１の溝幅Ｗ２を最小でも、対物レンズの直径φの約２倍の約１５．０ｍｍ相当の大きな幅に構成せざるを得なかった。
【０００７】
しかも、このように、溝状開口部１１の溝幅Ｗ２が大きい（広いこと）と、特に、オープンタイプの光学ディスクドライブ装置では、ユーザーが手指等を溝状開口部１１内に誤って容易に挿入し易い。そして、溝状開口部１１内に挿入した手指等を光学ピックアップ６内の活電部に触れる等して、光学ピックアップ６の静電気破壊を生じたり、その他の異物が溝状開口部１１からシャーシ２内に挿入されて、光学ピックアップ６が機械的に損傷され易い等の重大な問題が発生し易い点である。また、２軸アクチュエータカバー１２をシャーシ２とは別に加工してスレッド４に組付けなければならないことから、部品点数及び組立工数が多くなり、コストアップを招くと言う問題もあった。
【課題を解決するための手段】
【０００８】
本発明の光学ピックアップユニットは、ディスク状記録媒体の半径方向に移送されるスレッドに光学ピックアップが搭載され、該光学ピックアップの２軸アクチュエータによってフォーカシング駆動及びトラッキング駆動される対物レンズを前記スレッドの移送経路の外側を覆うカバー部材の溝状開口部内に沿って移送する光学ピックアップユニットにおいて、前記２軸アクチュエータによる前記対物レンズのフォーカシング駆動時における該対物レンズの前記カバー部材外方側への移動量を規制するストッパー壁部を前記カバー部材の前記溝状開口部の両側部で兼用させることにより、該溝状開口部の溝幅を小幅に構成したものである。
【０００９】
また、本発明の光学ディスクドライブ装置は、ディスク状記録媒体を回転駆動するスピンドルモータと、スレッドに搭載されて、前記ディスク状記録媒体の半径方向に移送される光学ピックアップと、前記スレッドの移送経路の外側を覆うと共に、前記ディスク状記録媒体の半径方向に沿って形成された溝状開口部を有し、前記光学ピックアップの２軸アクチュエータによってフォーカシング駆動及びトラッキング駆動される対物レンズが前記溝状開口部内に沿って移送されるカバー部材とを備えた光学ディスクドライブ装置において、前記２軸アクチュエータによる前記対物レンズのフォーカシング駆動時における該対物レンズの前記カバー部材外方側への移動量を規制するストッパー壁部を前記カバー部材の前記溝状開口部の両側部で兼用させることにより、該溝状開口部の溝幅を小幅に構成したものである。
【発明の効果】
【００１０】
本発明の光学ピックアップユニット及び光学ディスクドライブ装置は、光学ピックアップの対物レンズが移送されるカバー部材の溝状開口部の溝幅を小幅に構成することができるので、例えばオープンタイプの光学ディスクドライブ装置にあっては、ユーザーが手指を溝状開口部内に誤って挿入して、光学ピックアップに触れたり、その他の異物を溝状開口部内に挿入する等して、光学ピックアップを静電気破壊や機械的破損から極力防止することができるので、安全性が著しく向上する。対物レンズのカバー部材外方側への移動量を規制するストッパー壁をカバー部材で兼用することができるので、従来必要であった２軸アクチュエータカバーが不要となり、部品点数及び組立工数の削減よるコストダウンを実行できる。
【発明を実施するための最良の形態】
【００１１】
カバー部材の溝状開口部の溝幅は最小で対物レンズの直径＋２ｍｍに構成するのが好ましい。
カバー部材は少なくとも溝状開口部が形成されている外側壁の内面がスレッドの移送方向と平行な面に形成され、その外側壁の外面がディスク状記録媒体の外周側に進むに従ってそのディスク状記録媒体から次第に離間されるように傾斜されて、そのディスク状記録媒体の回転駆動中における面振れに対する逃げ構造を持つことが好ましい。
カバー部材の少なくとも溝状開口部が形成されている外側壁の外面がその溝状開口部の両側方に遠ざかるに従ってディスク状記録媒体から次第に離間されるように傾斜されて、カバー部材の外側壁上に付着されるダスト等を溝状開口部外へ逃がすことにより、ダスト等が溝状開口部から内部の光学ピックアップ上に落下されて、対物レンズ上に付着されることを防ぐことができる。
カバー部材がスレッドの移送機構及び／又はスピンドルモータが搭載されたシャーシに兼用して、部品点数及び組立工数の削減が図れる。
【実施例１】
【００１２】
初めに、本発明を適用した光学ピックアップユニットを備えた光学ディスクドライブ装置の実施例１を図１〜図４を参照して説明する。
なお、図６及び図８で説明した同一の構造部分については、同一の符号を付して同一構造部分の説明を省略する。
【００１３】
図２に示すように、光学ピックアップユニット１のカバー部材を兼用するシャーシ２は、光ディスクドライブ装置や光磁気ディスクドライブ装置であるオープンタイプ等の光学ディスクドライブ装置２１のメインシャーシ２２上に装着されている。この際、図１、図２及び図４に示すように、シャーシ２の外周に一体成形された複数個（例えば３個）の緩衝手段保持部２３にゴム等の弾性部材で成形された複数個（例えば３個）の緩衝手段（インシュレータ）２４を装着する。そして、この光学ピックアップユニット１をメインシャーシ２２に形成された開口部２５内に挿入して、複数個の緩衝手段２４を介してシャーシ２をメインシャーシ２２上に弾性的に載置し、複数個の緩衝手段２４の中央部等をそれぞれ止ネジ２６によってメインシャーシ２２上にネジ止めする。これにより、メインシャーシ２２に加えられる外部振動等をこれら複数個の緩衝手段２４によって緩衝することができるように構成されている。
【００１４】
次に、光学ピックアップユニット１のカバー部材を兼用するシャーシ２の外側壁である上側壁２ａには、後述するように、溝幅Ｗ１２が非常に小さい溝状開口部１５が形成されている。そして、２軸アクチュエータ８による対物レンズ７のフォーカス方向ｂへの駆動であるフォーカシング駆動軸におけるこの対物レンズ７のシャーシ（カバー部材）外方側である矢印ｂ１方向への移動量Ｔ１を規制する一対のストッパー壁部１４が、その溝状開口部１５の両側部１５ａで兼用されている。
【００１５】
換言すれば、本発明の光学ピックアップユニット１では、図６〜図８に示した従来例で使用していたストッパー壁部を兼用する２軸アクチュエータカバー１２を省略して、対物レンズ７が移動されるシャーシ（カバー部材）２の溝状開口部１５の両側部１５ａで、その対物レンズ７の矢印ｂ１方向の移動量Ｔ１を規制するストッパー壁部１４を兼用させることによって、その溝状開口部１５の溝幅Ｗ１２を従来例の約１５．０ｍｍから対物レンズ７の直径より僅かに大きい寸法である約７．７ｍｍまで大幅に縮小させたものである。
【００１６】
因みに、光学ピックアップ６の２軸アクチュエータ８の一例として、スレッド４上に２軸アクチュエータベース８ｃを搭載し、上端に対物レンズ７が水平状に搭載されたコイルボビン８ａの溝状開口部１５の長さ方向における両側をその溝状開口部１５の長さ方向に対して直交する方向の上下一対の平行バネを用いた一対のバネ機構８ｄを介して２軸アクチュエータベース８ｃ上の支持台８ｅに弾性的に支持し、溝状開口部１５の幅方向におけるコイルボビン８ａの両側で、コイルボビン８ａの両側にフォーカシング駆動用コイル及びトラッキング駆動用コイルのそれぞれ４個、合計８個のコイル８ｆを固着し、２軸アクチュエータベース８ｃ上に垂直状に搭載された各一対のマグネット８ｇ及びヨーク８ｂを溝状開口部１５の幅方向におけるコイルボビン８ａの外側と内側とに遊びを有する状態に挿入させた構造が採用されている。
【００１７】
そして、合計８個のコイル８ｆ中の４個のフォーカシング駆動用コイルへの通電によって、対物レンズ７をコイルボビン８ａと一体にバネ機構８ｄのバネ力に抗して垂直方向であるフォーカシング方向ｂへ平行移動させるように駆動する。また、合計８個のコイル８ｆ中の他の４個のトラッキング駆動用コイルへの通電によって、対物レンズ７をコイルボソビン８ａと一体にバネ機構８ｄのバネ力に抗して水平方向であるトラッキング方向へ平行移動させるように駆動するように構成されている。
【００１８】
そして、従来と同様に、この２軸アクチュエータ８のコイルボビン８ａの上端には一対の小突起８ｂが設けられていて、図８に１点鎖線で示すように、対物レンズ７の上方側である矢印ｂ１方向へのフォーカシング駆動時に、その一対の小突起８ｂがシャーシ（カバー部材）２の溝状開口部１５の両側部１５ａで兼用されている一対のストッパー壁部１４の下面に下方から衝突させることによって、対物レンズ７のシャーシ２の上方側（矢印ｂ１方向）への移動量Ｔ１（約１．２５ｍｍ）を規制している。
【００１９】
この結果、従来必要であったほぼ箱型の２軸アクチュエータ１２が不要となり、シャーシ２の溝状開口部１５の溝幅Ｗ１２を対物レンズ７の直径φ（＝５．５ｍｍ）より僅かに大きい寸法である例えば約７．７ｍｍ前後まで縮小することができた。
【００２０】
このように、本発明の光学ピックアップユニット１は、シャーシ２の溝状開口部１５の溝幅Ｗ１２を従来の溝幅Ｗ２である約１５．０ｍｍから約７．７ｍｍまで約１／２にまで縮小できたことにより、特に、オープンタイプの光学ディスクドライブ装置２１において、ユーザーが手指やその他の異物を溝状開口部１５内に不用意に挿入することが不可能或いは困難になる。この結果、ユーザーが手指やその他の異物を溝状開口部１５内の奥深くまで不用意に挿入して、光学ピックアップ６の活電部に触れる等して、光学ピックアップ６の静電破壊を生じたり、光学ピックアップ６を機械的に損傷してしまう等の不祥事態を未然に防止することができて、安全性が飛躍的に向上する。
【００２１】
また、本発明の光学ピックアップユニット１は、２軸アクチュエータ８による対物レンズ７のシャーシ外方側である矢印ｂ１方向への移動量を規制するストッパー壁部１４をシャーシ２の溝状開口部１５の両側部１５ａまで兼用させていることから、従来、シャーシ２とは別に加工してスレッド４に装着していたストッパー壁兼用の２軸アクチュエータカバー１２をそのシャーシ２そのもので兼用させることができる。この結果、本発明の光学ピックアップユニット１では、従来必要であったストッパー壁兼用の２軸アクチュエータカバー１２が不要となり、光学ピックアップユニット１の部品点数及び組立工数を削減して、この光学ピックアップユニット１の大幅なコストダウンを実行することができる。
【００２２】
一方、本発明の光学ピックアップユニット１では、図４に示すように、シャーシ２の溝状開口部１５が形成されている外側壁である上側壁２ａの下面である内面２ｂがスレッド４の移送方向ａと平行な面である水平面１６に形成されている。一方、その上側壁２ａの外面である上面２ｃは光ディスクＤの内周側から外周側に進むに従ってこの光ディスクＤから下方へ次第に離間されるような傾斜面（傾斜状の一例であるテーパー面）１７に形成されている。
【００２３】
この結果、図４に１点鎖線で示すように、スピンドルモータ３による光ディスクＤの回転駆動中にその光ディスクＤの外周側に上下方向ｄの面振れが発生しても、その光ディスクＤの外周端Ｄａ側がシャーシ２の上側壁２ａの上面２ｃ（＝傾斜面１７）に不測に接触されることを未然に回避することができ、高い安全性を確保できる。
【００２４】
因みに、シャーシ２の上側壁２ａにおける光ディスクＤの内周側の端部２ａ１の厚みｔ１１が約０．７５ｍｍに形成されていて、その上側壁２ａにおける光ディスクＤの外周側の端部２ａ２の厚みｔ１２が約０．４５ｍｍに形成されることによって、その上側壁２ａの上面２ｃが内周側の端部２ａ１から外周側の端部２ａ２に進むに従って水平基準面Ｐ１から角度θ１で次第に下降される傾斜面（テーパー面）１７に形成されている。
【００２５】
一方、近時、光学ピックアップ６の対物レンズ７の特に、フォーカシング方向ｂのストロークを確保するためには、シャーシ２の上側壁２ａの肉厚ｔを薄くする薄肉加工（薄肉設計）が要求されている。しかし、この上側壁２ａの肉厚ｔを薄くすると、ヒケやウェルド等の体裁面に大きく影響する他、上側壁２ａの反りも発生し易くなる。しかし、シャーシ２の溝状開口部１５の両側部１５ａの上面（外面）２ｃを光ディスクＤの内周側から外周側に進むに従ってこの光ディスクＤから下方へ次第に離間されるような傾斜面（テーパー面）１７に形成しておけば、仮に、その上面（外面）２ｃに上方への反りが発生しても、その上面（外面）２ｃに光ディスクＤが接触される危険を回避することができ、高い安全性を確保できる。
【実施例２】
【００２６】
次に、本発明を適用した光学ピックアップユニットを備えた光学ディスクドライブ装置の実施例２を図５によって説明する。
この実施例２は、前述した実施例１のカバー部材を兼用するシャーシ２の溝状開口部１５が形成されている上側壁（外側壁）２の上面（外面）２ｃを溝状開口部１５の両側に遠ざかるに従って光ディスクＤから次第に下方へ離間されるように傾斜状に形成された傾斜面（テーパー面）１８に形成したものである。
即ち、シャーシ２の溝状開口部１５の長さ方向（半径方向ａ）と直交する方向ｅにおいて、上側壁２ａの上面２ｃを溝状開口部１５から左右方向へ遠ざかるに従って水平基準面Ｐ１から角度θ２で次第に下降される傾斜面（テーパー面）１８に形成したものである。
【００２７】
この結果、シャーシ２の上側壁２ａの上面２ｃに付着されるダストを矢印ｅで示すように傾斜面１８によって溝状開口部１５外である左右両側方に逃がすことができるので、ダストが溝状開口部１５からシャーシ２の内部の光学ピックアップ６上に落下されて、対物レンズ７上に付着されることを防ぐことができる効果が得られる。
【産業上の利用可能性】
【００２８】
以上、本発明の実施例に付き述べたが、本発明の技術的思想に基づいて各種の変更が可能である。
例えば、カバー部材を兼用するシャーシ２の上面（外面）２ｃの実施例１の傾斜面１７や実施例２の傾斜面１８を指す傾斜状とは階段状であっても良い。また、実施例１の傾斜面１７と実施例２の傾斜面１８はシャーシ２にそれぞれ単独で形成しても良いが、これらの傾斜面１７、１８を合成して形成しても良い。
また、本発明は光ディスクや光磁気ディスクを使用する各種の光学ディスクドライブ装置の光学ピックアップユニットに適用可能である。
【図面の簡単な説明】
【００２９】
【図１】本発明を適用した光学ディスクドライブ装置の光学ピックアップユニットの実施例１を説明する斜視図である。
【図２】図１の光学ピックアップユニットをシャーシ上に搭載した状態の平面図である。
【図３】図１のＡ−Ａ矢視での拡大断面図である。
【図４】図１のＢ−Ｂ矢視での一部切欠き拡大断面図である。
【図５】本発明を適用した光学ディスクドライブ装置の光学ピックアップユニットの実施例２を説明する図３と同様の断面図である。
【図６】従来の光学ピックアップユニットの斜視図である。
【図７】従来の光学ピックアップユニットの平面図である。
【図８】従来の光学ピックアップユニットの図７のＣ−Ｃ矢視での拡大断面図である。
【符号の説明】
【００３０】
１    光学ピックアップユニット
２    カバー部材を兼用するシャーシ
２ａ  シャーシの外側壁である上側壁
２ｂ  シャーシの上側壁の内面である下面
２ｃ  シャーシの上側壁の外面である上面
３    スピンドルモータ
４    スレッド
５    スレッド移送機構
６    光学ピックアップ
７    対物レンズ
８    ２軸アクチュエータ
１４  ストッパー壁部
１５  溝状開口部
１５ａ  溝状開口部のストッパー壁を兼用する両側部
１６  水平面
１７  傾斜状の面である傾斜面
１８  傾斜状の面である傾斜面
２１  メインシャーシ
２３  緩衝手段保持部
２４  緩衝手段
Ｄ    ディスク状記録媒体である光ディスク
φ  対物レンズの直径
Ｗ１２  溝状開口部の溝幅
【図１】
2005276379.tif 000003
【図２】
2005276379.tif 000004
【図３】
2005276379.tif 000005
【図４】
2005276379.tif 000006
【図５】
2005276379.tif 000007
【図６】
2005276379.tif 000008
【図７】
2005276379.tif 000009
【図８】
2005276379.tif 000010